(57)【特許請求の範囲】
【請求項１】
海中から引上げられる養殖・天然物をガイドする案内部を備えた養殖・天然物引上げ案内具において、案内具は間隔をあけて配置された側壁間に二本以上の横長ローラが引上げ方向に間隔をあけて並べて配置され、それら横長ローラは前記側壁に回転自在に支持され、各横長ローラの外周面を養殖・天然物をのせて引き上げる案内部としたことを特徴とする養殖・天然物引上げ案内具。
【請求項２】
請求項１記載の養殖・天然物引上げ案内具において、二本以上の横長ローラは駆動源で回転されることを特徴とする養殖・天然物引上げ案内具。
【請求項３】
請求項１又は請求項２記載の養殖・天然物引上げ案内具において、二本以上の横長ローラのうち引上げ方向下部と上部の横長ローラが、引上げ方向中間部の横長ローラよりも船体側に湾曲して配置され、それら横長ローラの外周面で形成される案内部を同方向に湾曲させたことを特徴とする養殖・天然物引上げ案内具。
【請求項４】
請求項１乃至請求項３のいずれか１項に記載の養殖・天然物引上げ案内具において、側壁は横長ローラの外周面よりも上方に突出して、横長ローラの上に引き上げられる養殖・天然物が横長ローラの軸方向端部から滑落しないようにしたことを特徴とする養殖・天然物引上げ案内具。
【請求項５】
請求項１乃至請求項４のいずれか１項に記載の養殖・天然物引上げ案内具において、横長ローラの外周面に、引き上げられる養殖・天然物に係止可能な滑り止めが設けられたことを特徴とする養殖・天然物引上げ案内具。
【請求項６】
請求項１乃至請求項５のいずれか１項に記載の養殖・天然物引上げ案内具において、横長ローラが網をロール状に巻いたものであり、その横長ローラの外周面である案内部の上にのせて引き上げられる養殖・天然物が、その案内部の網目に係止してスリップし難くなるようにしたことを特徴とする養殖・天然物引上げ案内具。
【請求項７】
請求項１乃至請求項６のいずれか１項に記載の養殖・天然物引上げ案内具において、引上げ方向下部の横長ローラの軸長を、引上げ方向上部の横長ローラの軸長よりも長くして案内部を下方広がりにしたことを特徴とする養殖・天然物引上げ案内具。
【請求項８】
請求項１乃至請求項７のいずれか１項に記載の養殖・天然物引上げ案内具において、引上げ方向下部の横長ローラの軸方向両端側にガイドローラを設け、当該ガイドローラを横長ローラの軸方向に対して交差する向きに配置すると共に横長ローラの外周面で形成される案内部よりも先方まで突出させたことを特徴とする養殖・天然物引上げ案内具。
【請求項９】
請求項１乃至請求項８のいずれか１項に記載の養殖・天然物引上げ案内具において、案内具が海上から船上まで引上げ可能に船に取付け可能であることを特徴とする養殖・天然物引上げ案内具。
【発明の詳細な説明】
【技術分野】
【０００１】
本願発明は、帆立貝、あこや貝、牡蠣など（以下、これらをまとめて「貝類」という。）の吊下げ養殖に用いられる貝類付きロープ、篭養殖用の貝入り篭、天然の昆布や他の海産物等（以下、これらをまとめて「養殖・天然物」という。）を、船上又は陸上に引上げる際に使用される養殖・天然物引上げ案内具に関するものである。
【背景技術】
【０００２】
貝類は吊下げ養殖（帆立貝の養殖では「耳吊り養殖」といわれている。）されることがある。耳吊り養殖は、図８〜図１０に示すように、ロープ（縦ロープともいう）Ａに差込んだ樹脂製の貝類係止具Ｋ（図８）又はテグスを、貝類Ｂに開けた孔に通して貝類ＢをロープＡに係止し、この貝類付きロープＣを海中に吊下げて養殖する方法である。
【０００３】
従来の耳吊り養殖では、図８に示すように、ロープＡに貝類Ｂが係止されている貝類付きロープＣを、船の上から海中に突き出て設置された引上げ回転体（回転ドラム）Ｄの外周に掛け、その貝類付きロープＣをモータ等の引き上げ装置で海中から引き上げていた。
【０００４】
貝類Ｂの引上げには、前記ドラム状の引上げ回転体Ｄ（特許文献１）や図９に示す滑り台Ｅなどが利用されていた。図９に示す滑り台Ｅは貝類付きロープＣを円滑に引上げできるように表面Ｆを平滑面にすると共に、表面Ｆの幅方向両側面に貝類付きロープＣが表面Ｆの脱落（滑落）防止用の側壁Ｇ（図１０）を備えている。この滑り台Ｅの表面Ｆは貝類付きロープＣが海中に吊るされた鉛直姿勢から船内での水平姿勢に円滑に移行できるように、側面視曲線状に湾曲している。この表面Ｆの曲線形状と平滑面によって貝類付きロープＣが円滑に船内に引上げられるようにしてある。
【先行技術文献】
【特許文献】
【０００５】
【特許文献１】特開平１０−１３６８３３号公報
【発明の概要】
【発明が解決しようとする課題】
【０００６】
貝類Ｂを係止して海中に吊下げられたロープＡ（通常６〜８ｍｍ径程度）の場合、その長さと取付ける貝類Ｂの枚数にもよるが、例えば、海中に投入後半年程度で貝類Ｂや貝類付きロープＣにザラボヤなどが大量に付着して、見かけ上１００〜２００ｍｍの径となり、その重量も１本当たり３０〜５０ｋｇとなることがある。このように太く、重くなった貝類付きロープＣを引上げると、貝類付きロープＣが引上げ回転体Ｄ（図８）の胴体の表面Ｆでスリップしてスムースに引上げられないとか、スリップすると貝類Ｂが引上げ回転体Ｄと擦れてロープＡから落下するといった問題があった。図９、図１０の滑り台Ｅは貝類付きロープＣを引上げる力（駆動力）がないため、貝類付きロープＣがスムースに引上がりにくいという問題があった。
【０００７】
本願発明の解決課題は、養殖・天然物、特に、雑物が大量に付着している貝類付きロープを海中又は水中（まとめて「海中」という。）から引上げるときに、それらがスリップせずに確実に且つ容易に引上げることのできる養殖・天然物引上げ案内具を提供することにある。
【課題を解決するための手段】
【０００８】
本願発明の養殖・天然物引上げ案内具は、海中から引上げられる養殖・天然物をガイドする案内部を備えた養殖・天然物引上げ案内具において、案内具は間隔をあけて配置された側壁間に二本以上の横長ローラが引上げ方向に間隔をあけて並べて配置され、それら横長ローラは前記側壁に回転自在に支持され、各横長ローラの外周面を養殖・天然物をのせて引き上げる案内部としたものである。
【０００９】
二本以上の横長ローラは駆動源で回転されるようにしてある。二本以上の横長ローラを、引上げ方向上部と下部の横長ローラが引上げ方向中間部の横長ローラよりも船体側に湾曲するように配置して、それら横長ローラの外周面で形成される案内部を同方向に湾曲させて、引き上げられる養殖・天然物が案内具の下端に引っ掛からずに案内面に引き上げられ、上端に引っ掛からずに案内面から送り出されるようにするのが望ましい。
【００１０】
側壁は横長ローラの外周面よりも上方に突出させて、横長ローラの上を引き上げられる養殖・天然物が横長ローラの軸方向端部から滑落しないようにするのが望ましい。
【００１１】
本願発明の養殖・天然物引上げ案内具は、前記養殖・天然物引上げ案内具において、横長ローラの外周面に、引き上げられる養殖・天然物に係止可能な滑り止めを設けることができる。
【００１２】
本願発明の養殖・天然物引上げ案内具は、前記養殖・天然物引上げ案内具において、横長ローラが網をロール状に巻いたものであり、その横長ローラの外周面である案内部の上にのせて引き上げられる養殖・天然物が、その案内部の網目に係止してスリップし難くなるようにするのが望ましい。
【００１３】
本願発明の養殖・天然物引上げ案内具は、前記養殖・天然物引上げ案内具において、養殖・天然物引上げ方向下部の横長ローラの軸長を、上部の横長ローラの軸長よりも長くして案内部を下方広がりにして、案内具の側方からも案内面に引上げ易くするのが望ましい。
【００１４】
本願発明の養殖・天然物引上げ案内具は、前記養殖・天然物引上げ案内具において、引上げ方向下部の横長ローラの軸方向両端側にガイドローラを設け、当該ガイドローラは横長ローラの軸方向に対して交差する向きに配置すると共に、横長ローラの外周面で形成される案内部よりも先方まで突出させて、案内具の案内面に引き上げられる養殖・天然物が、案内面の外側に滑落し難くするのが望ましい。
【００１５】
本願発明の養殖・天然物引上げ案内具は、前記養殖・天然物引上げ案内具において、案内具を海上から船上まで引上げ可能に船に取付けて、不使用時に案内具を船上に引き上げて船舶の航行の邪魔にならないようにするのが望ましい。
【発明の効果】
【００１６】
本願発明の養殖・天然物引上げ案内具は次のような効果がある。
（１）養殖・天然物を引き上げる案内部が二本以上の横長ローラで構成されているため、案内部が平滑な面の場合よりも引上げ易くなる。
（２）二本以上の横長ローラが駆動回転するので、養殖・天然物を海中から確実に引上げ可能であり、引上げ中の貝の脱落も減少する。
（３）二本以上の横長ローラが、引上げ方向上部と下部の横長ローラが引上げ方向中間部の横長ローラよりも船体側に湾曲するように配置されているので、海中から引き上げられる養殖・天然物が案内具の下端に引っ掛からずに案内面に引き上げられ、上端に引っ掛からずに案内面から送り出され、引上げ作業がスムースになる。
（４）二本以上の横長ローラの軸方向両端側に側壁があり、側壁が横長ローラの外周面よりも上方に突出しているので、引き上げられる養殖・天然物が横長ローラの軸方向端部から滑落し難くなる。
（５）横長ローラの外周面に、引き上げられる養殖・天然物に係止可能な滑り止めを設けたので、養殖・天然物の引き上げが確実にできる。
（６）網をロール状に巻いて横長ローラとして、外周面に滑り止め突起と滑り止め空間の双方を設けてあるので、引き上げられる養殖・天然物が案内部でスリップし難くなる。
（７）養殖・天然物引上げ方向下部の横長ローラの軸長を、上部の横長ローラの軸長よりも長くして案内部を下方広がりにしたので、養殖・天然物を案内具の側方から案内面に引上げ易くなり、引上げが確実になる。
（８）引上げ方向下部の横長ローラの軸方向端側にガイドローラを設け、ガイドローラは横長ローラの軸方向に対して交差する向きに配置し、案内部よりも先方に突出させて有るので、案内具の案内面に引き上げられる養殖・天然物が、案内面の外側に外れなくなり、引上げが確実になる。
（９）二本以上の横長ローラを連動回転させれば、回転用の駆動源が一つですむため、装置の小型化を実現できる。
（１０）案内具を海上から船上まで引上げ可能に取付けたので、案内具の不使用時に案内具を船上に引き上げて、船舶を航行し易くすることができる。
【図面の簡単な説明】
【００１７】
【図１】本願発明の養殖・天然物引上げ案内具を船のカイシングに取り付けた場合の一例を示す側面図。
【図２】（ａ）は引き込み口を送り出し口よりも幅広に構成した養殖・天然物引上げ案内具であって、下端側に誘導ローラを設けた場合の一例を示す斜視図、（ｂ）はその正面図。
【図３】（ａ）は横長ローラの一例を示す斜視図、（ｂ）は図３（ａ）の軸に取付けられるギヤの一例を示す斜視図、（ｃ）は図３（ｂ）のギヤに巻いてある鋼材の正面図。
【図４】（ａ）は引き込み口と送り出し口を同幅に構成した養殖・天然物引上げ案内具であって、下端側に誘導ローラを設けた場合の一例を示す斜視図、（ｂ）はその正面図。
【図５】（ａ）は図２、図４に示す養殖・天然物引上げ案内具の側面図、（ｂ）は誘導ローラの取付け構造の説明図。
【図６】船への養殖・天然物引上げ案内具の取付けに用いる取付具の一例を示す分解斜視図。
【図７】カイシングに取り付けた養殖・天然物引上げ案内具の動作説明の側面図。
【図８】従来のドラム状の引上げ回転体の一例を示す側面図。
【図９】従来の滑り台の一例を示す側面図。
【図１０】従来の滑り台の一例を示す正面図。
【発明を実施するための形態】
【００１８】
（実施形態）
本願発明の養殖・天然物引上げ案内具の実施形態について、船のカイシング２１に取り付けて貝類付きロープ２を海中から船上に案内する（引き上げる）場合（図１）を一例として説明する。
【００１９】
図２（ａ）、（ｂ）に示す養殖・天然物引上げ案内具１は、ハの字状に下方広がりにしてある２枚の側壁４ａ、４ｂ間に、多数本（二本以上）の横長ローラ３が配置され、それら横長ローラ３の長手方向両端部が前記２枚の側壁４ａ、４ｂを貫通して軸受け２８によりそれら側壁４ａ、４ｂに回転自在に支持されている。図２（ａ）、（ｂ）の多数本の横長ローラ３は間隔をあけて平行に配置されているが、必ずしも平行である必要はない。また、横長ローラ３は等間隔で配置することも、異なる間隔で配置することもできる。
【００２０】
図２（ａ）、（ｂ）の実施形態の養殖・天然物引上げ案内具１は、横長ローラ３の上に貝類付きロープ２を引上げ易くするために、下方の引き込み口（海側）５を、上方の送り出し口（船側）６よりも幅広にしてある。この場合、引き込み口５側の横長ローラ３を送り出し口６側の横長ローラ３よりも徐々に長くして、横長ローラ３の軸方向両端面と、ハの字状に下方広がりになっている２枚の側壁４ａ、４ｂ間に隙間ができないようにしてある。
【００２１】
図２（ａ）、（ｂ）に示す多数本の横長ローラ３の夫々は、図３（ａ）、（ｂ）のようにローラシャフト８の軸方向両端側にギヤ１３（図３（ｂ））が固定され、両ギヤ１３及び両ギヤ１３間の外周に、図３（ｃ）に示すような金属製の網材３ｃがロール状に巻かれている。鋼材３ｃには滑り止め突起３ａ及び滑り止め空間３ｂが形成され、引上げ中の貝類付きロープ２がスリップし難くしてある。
【００２２】
図３（ａ）のギヤ１３は図３（ｂ）に示すものであり、軸孔１３ａの外周にキー溝１３ｂがあり、ギヤ部１３ｃの外側に突設されている筒状の固定部１３ｄにネジ孔１３ｅがあり、そのネジ孔１３ｅにねじ込んだネジ（図示せず）でローラシャフト８にネジ止めしてある。更に、キー溝１３ｂにキー（図示せず）を差し込んでローラシャフト８に固定して空転しないようにしてある。
【００２３】
図３（ａ）の網材３ｃは図４（ｃ）に示すように、金属製の波板１２が連結棒１２ａで網状に連結されたものであり、その網目に前記ギヤ１３のギヤ部１３ｃが入り込むようにギヤ１３の外周に巻いて、ローラシャフト８が回転するとギヤ１３が回転し、ギヤ１３のギヤ部１３ｃで網材３ｃが回転するようにしてある。
【００２４】
横長ローラ３は前記した以外の形状、構造であってもよい。例えば、前記網材３ｃに代えて三角状の網目が連続する網材を使用し、それを図３（ａ）と同様にギヤ１３の外周にロール状に巻いたものであってもよい。ギヤの外に網材を巻くのではなく、回転ロールの外周面に凹凸を設けたり、回転ロールを三角柱や四角柱などの多角柱ローラにしたり、回転ロールの外周面に鋸状の突起が形成された板材を固定したもの等であってもよい。要は、海中から引き上げる異物付着の貝付きロープがスリップせずに引上げられる構造、形状であればどのようなものであってもよい。
【００２５】
図２（ａ）、（ｂ）の多数本の横長ローラ３は、一方の側壁（図２（ａ）では右側の側壁４ｂ）の外側に突出した突出部に、内側スプロケット１０ａと外側スプロケット１０ｂを間隔をあけて設け、内側スプロケット１０ａは駆動用、外側スプロケット１０ｂは隣接する横長ローラ３に動力を伝達する伝達用としてある。
【００２６】
図２（ａ）、（ｂ）では、最上段の横長ローラ３（説明の便宜上、最上段の横長ローラ３を「第１横長ローラ」といい、以下、下方向に続く順に「第２横長ローラ」、「第３横長ローラ」、「第ｎ横長ローラ」という。以下、同じ。）の内側スプロケット１０ａが駆動モータＭに連結され、第１横長ローラの外側スプロケット１０ｂと第２横長ローラの内側スプロケット１０ａにチェーン１１を巻回してある。同様に、第２横長ローラの外側スプロケット１０ｂと第３横長ローラの内側スプロケット１０ａの外周にチェーン１１を、第３横長ローラの外側スプロケット１０ｂと第４横長ローラの内側スプロケット１０ａの外周に連結チェーンを巻回し、それ以降も同様の組合せでチェーン１１を巻回してある。これにより、全ての横長ローラ３が連結されるため、１つの駆動モータＭを動作させることで、動力が全ての横長ローラ３に伝達され、全ての横長ローラ３が連動して同方向に回転する。横長ローラ３は正・逆方向に切り替え回転可能とすることができる。この実施形態では無端のチェーンを使用する場合を一例として説明しているが、チェーン１１に代えて無端ベルトなどを用いることもできる。この場合は、スプロケットをタイミングローラに代えるのがよい。
【００２７】
図４は側壁４ａ、４ｂを平行に配置した例である。この場合は、夫々の横長ローラ３のスプロケット１０ｃを一つにし、それらスプロケット１０ｃに１本のチェーン１１を掛け、駆動モータＭで駆動スプロケット１０ｄを回転させるとチェーン１１が回転し、他のスプロケット１０ｃがチェーンの回転に従って従動回転して、個々の横長ローラ３が回転するようにしてある。
【００２８】
スプロケット１０ａ〜１０ｄや側壁４ａ、４ｂはステンレス製、樹脂製といった各種材質製とすることができるが、海水によって錆びたり故障したりし易くなるため、図２（ｂ）に示すように、スプロケット１０ａ〜１０ｄ、側壁４ａ、４ｂ、スプロケット１０ａ〜１０ｄと側壁４ａ、４ｂの隙間をそれらの上からカバーＮ（図２（ｂ））で被覆することもできる。カバーＮを設けた場合、横長ローラ３の両端と側壁４ａ、４ｂとの隙間に貝類付きロープ２が引っ掛かって貝類がロープから脱落したり、貝類付きロープ２が引上げ難くなったりするのを防止することができる。
【００２９】
図２（ａ）、（ｂ）、図４（ａ）、（ｂ）の側壁４ａ、４ｂは、海中から横長ローラ３の表面（案内部７）に引き上げられた貝類付きロープ２が、横長ローラ３の側方から外に外れないようにするためのものである。両側壁４ａ、４ｂは引き上げられる貝類が両側壁４ａ、４ｂの下端部に引っ掛かって不用意に脱落しないようにするため、図５のように、海中側端部（図５（ａ）の下端部）を船体側に向けて湾曲させてある。
【００３０】
図２（ａ）、（ｂ）、図４（ａ）、（ｂ）の両側壁４ａ、４ｂの海中側端部にはガイドローラ（誘導ローラ）１６が設けられている。海中の波の動きや潮の流れは不規則であるため、海中に吊るされている貝類付きロープ２を船上に引き上げる際に、貝類付きロープ２が潮や波の動きによって左右に振られて案内部７から外れてしまう場合がある。誘導ローラ１６は海中から引上げられる貝類付きロープ２を案内部７に誘導し易くするためのものである。誘導ローラ１６は円柱状であり、図５（ａ）、（ｂ）に示すように軸受け（例えば、ベアリング式軸受け）１４を介してシャフト１７に回転自在に取付けられている。図５（ａ）、（ｂ）に示す誘導ローラ１６は表面が平滑なものが、貝類付きロープ２を案内部７に誘導し易い。誘導ローラ１６は任意長とすることができる。
【００３１】
（養殖・天然物引上げ案内具の船への取付け）
本願発明の養殖・天然物引上げ案内具１を船のカイシング２１に取付けるには、例えば、図６に示す取付け具２５を用いることができる。この取付け具２５は、カイシング２１に固定する固定台座２２と、その固定台座２２に取り付けて養殖・天然物引上げ案内具を支持する支持台２３を備えるものである。
【００３２】
前記固定台座２２は、横長の台座本体２２ａと、その横幅方向両端に設けられた側面視コ字状の係止部２２ｂと、台座本体２２ａの中心部上方に突設されたポスト２２ｃを備えるものである。固定台座２２はポスト２２ｃが上向きとなるようにカイシング２１の外周に被せ、締め具２２ｄを回転させてカイシング２１を挟着保持できるようにしてある。
【００３３】
前記支持台２３は支持台本体２３ａと、その支持台本体２３ａの中心部下方に突設された円筒状の嵌合部２３ｂと、支持台本体２３ａの上に取付ける側方支持体２３ｃを備えるものである。嵌合部２３ｂはポスト２２ｃに被せることの内径であり、ポスト２２ｃに被せることによって支持台２３を水平（図６のＸ−Ｘ方向）に首振り回転できるようにしてある。嵌合部２３ｂには支持台２３を所望の水平回転位置で固定するための固定手段（図示しない）を設けることができる。固定手段には緩めると嵌合部２３ｂが回転可能となり、締めると嵌合部２３ｂが固定されるネジ調節式のものなどを使用することができる。
【００３４】
図６の側方支持体２３ｃは支持台２３と養殖・天然物引上げ案内具１とを連結するものであり、支持台本体２３ａに固定するための横板２３ｄとそれから上方に立ち上げた縦板２３ｅを備えたＬ字状である。縦板２３ｅには養殖・天然物引上げ案内具１を軸支する連結軸２４を挿通することができる。
【００３５】
図６の取付け具２５を用いて養殖・天然物引上げ案内具１をカイシング２１に取り付けるには例えば次のようにする。
１．固定台座２２をカイシング２１の外周に被せ、係止部２２ｂの締め具２２ｄを調節してカイシング２１に固定する。
２．固定台座２２のポスト２２ｃに支持台２３の嵌合部２３ｂを被せて、支持台２３を固定台座２２にセットする。このとき、支持台２３は所望の向きに回転させ、その位置で固定しておく。
３．支持台２３の側方支持体２３ｃの間に養殖・天然物引上げ案内具１をセットし、両側壁４ａ、４ｂに設けられた連結片２６の貫通孔２６ａと側壁支持体２３ｃの縦板２３ｅに形成された貫通孔２３ｆの位置を合わせる。
４．連結軸２４を、一方の側方支持体２３ｃの縦板２３ｅの外側から左右の連結片２６を貫通して他方の連結片２６まで挿通させる。
５．連結軸２４が抜け落ちないように連結軸２４の両端に図示しない抜け止め材を取り付ける。
【００３６】
前記要領で取り付けられた養殖・天然物引上げ案内具１は、連結軸２４を回転軸として、図７の矢印方向に往復回転させることができる。これにより、漁場（水揚げ場）へ向かう間は養殖・天然物引上げ案内具１を上方に回転させて船側に上げておき、水揚げ場で下方に回転させて海側に下ろすことができる。
【００３７】
図１は貝類付きロープ２を引き上げるときの例であり、貝類付きロープ２を海中から引き上げて本願発明の養殖・天然物引上げ案内具１の横長ローラ３の上（案内部７）に引き上げ、その貝類付きロープ２の先端部を引上げ装置Ｏにセットする。引上げ装置ＯのロールＰを図示しないモータで回転させると、貝類付きロープ２が連続して引き上げられる。このとき、養殖・天然物引上げ案内具１の横長ローラ３をも駆動回転させることができる。
【００３８】
本願発明の養殖・天然物引上げ案内具１により貝類付きロープ２を海中から横長ローラ３の上（案内部７）に引き上げるには、その貝類付きロープ２の先端部を洗浄装置にセットし、洗浄装置のロールＰを図示しないモータで回転させると、貝類付きロープ２が連続して洗浄装置に引き込まれ、そのまま洗浄することもできる。このとき、養殖・天然物引上げ案内具１の横長ローラ３をも駆動回転させることができる。洗浄装置には本件出願人が以前に開発した洗浄装置（特許第３９１７１０７号）などを使用することができる。
【産業上の利用可能性】
【００３９】
本願発明の養殖・天然物引上げ案内具は、図１に示すように船に取り付けて使用することは勿論のこと、陸上でも使用することができる。
【符号の説明】
【００４０】
１      養殖・天然物引上げ案内具
２      貝類付きロープ
３      横長ローラ
３ａ    滑り止め突起
３ｂ    滑り止め空間
３ｃ    網材
４ａ    側壁
４ｂ    側壁
５      引き込み口
６      送り出し口
７      案内部
８      ローラシャフト
１０ａ  内側スプロケット
１０ｂ  外側スプロケット
１０ｃ  スプロケット
１０ｄ  駆動スプロケット
１１    チェーン
１２    波板
１２ａ  連結棒
１３    ギヤ
１３ａ  軸孔
１３ｂ  キー溝
１３ｃ  ギヤ部
１３ｄ  固定部
１３ｅ  ネジ孔
１４    軸受け
１６    誘導ローラ
１７    シャフト
２１    カイシング
２２    固定台座
２２ａ  台座本体
２２ｂ  係止部
２２ｃ  ポスト
２２ｄ  締め具
２３    支持台
２３ａ  支持台本体
２３ｂ  嵌合部
２３ｃ  側方支持体
２３ｄ  横板
２３ｅ  縦板
２３ｆ  貫通孔
２４    連結軸
２５    取付け具
２６    連結片
２６ａ  貫通孔
２８    軸受け
Ａ      ロープ
Ｂ      貝類
Ｃ      貝類付きロープ
Ｄ      回転ドラム
Ｅ      滑り台
Ｆ      表面
Ｇ      側壁
Ｋ      貝係止具
Ｍ      駆動モータ
Ｎ      カバー
Ｏ      引上げ装置
Ｐ      ロール
【図１】
0005766478.tif 000002
【図２】
0005766478.tif 000003
【図３】
0005766478.tif 000004
【図４】
0005766478.tif 000005
【図５】
0005766478.tif 000006
【図６】
0005766478.tif 000007
【図７】
0005766478.tif 000008
【図８】
0005766478.tif 000009
【図９】
0005766478.tif 000010
【図１０】
0005766478.tif 000011